(57)【要約】      （修正有）【課題】机上の空間を有効に利用し、かつ電源が投入される多機能の事務パーテイションを提供する。【解決手段】多機能の事務パーテイションは、両条の縦柱１を備え、両縦柱の下部に台座６が設けられ、両縦柱の間に接続梁２が設けられ、縦柱は中空の管状構造で、接続梁は５条あり、水平的に設置され、上から下へと両縦柱の間に均一的に分布され、最上と最下に位置する接続梁は縦柱に固定的に接続され、他の接続梁は縦柱に取外し可能に接続される多機能の事務パーテイションであって、隣り合う接続梁の間に仕切り板が設けられ、仕切り板は揃えて４枚あり、左右両端が縦柱に係合され、上下両端が接続梁に係合され、上側に位置する２枚の仕切り板に電源ソケット５が設けられ、一の仕切り板に水平の物置板３が設けられる。【選択図】図１
0003216966.tif 000002
【実用新案登録請求の範囲】
【請求項１】
両条の縦柱を備え、両縦柱の下部に台座が設けられ、両縦柱の間に接続梁が設けられ、前記縦柱は中空の管状構造で、前記接続梁が5条あり、水平的に設置されており、上から下へと両縦柱の間に均一的に分布されており、最上と最下に位置する接続梁は縦柱に固定的に接続され、他の接続梁は縦柱に取外し可能に接続される多機能の事務パーテイションであって、
隣り合う接続梁の間に仕切り板が設けられ、前記仕切り板が揃えて4枚あり、左右両端が縦柱に係合され、上下両端が接続梁に係合されており、
上側に位置する2枚の仕切り板において、一の仕切り板に水平の物置板が設けられ、他の仕切り板に物置筐が設けられており、上側に位置する2枚の仕切り板に電源ソケットが設けられ、縦柱内に複数条の電源線が設けられ、電源ソケットは電源線に一対一対応に接続されることを特徴とする多機能の事務パーテイション。
【請求項２】
上側に位置する2枚の仕切り板は半透明材料からなり、下側に位置する2枚の仕切り板は不透明材料からなることを特徴とする請求項１に記載の多機能の事務パーテイション。
【請求項３】
前記台座の下面にすべり防止層が設けられていることを特徴とする請求項１に記載の多機能の事務パーテイション。
【考案の詳細な説明】
【技術分野】
【０００１】
本考案は、事務設備に属し、多機能の事務パーテイションに関する。
【背景技術】
【０００２】
オフィスや工場などがどんどん多くなってきて、事務パーテイションが人々によく注目されている。それによって大きなオフィスエリアを合理的に区画することができる。このため、同僚からのプライバシーを保護し心理的要求に合致する、みんなに良好な仕事環境を提供している。従来の事務パーテイションの多くは、ローパーテイションで、同僚間において机を隔てるために備えられるもので、一般的に机の一側又は両側に設置されている。すなわち隔てる機能だけを有している。実際の仕事では、コンピュータのほかに、携帯電話の充電などいろんな臨時的な電気使用の場合がある。従来のオフィスのように電源ソケットは床や壁に設置されることが多くて、もし電源線を机上まで引いたら、綺麗になり難い。また、机上に、ティッシュ、筆類、計数機、カップなどいろんなものが置かれる場合が多いが、机上の空間を占めている。
【考案の概要】
【考案が解決しようとする課題】
【０００３】
本考案は上記問題を解決することを目的とし、机上の空間を有効に利用し、かつ電源が投入される多機能の事務パーテイションを提供する。
【課題を解決するための手段】
【０００４】
上記目的を解決するために、本考案は、下記の技術方案を採用する。
多機能の事務パーテイションは、両条の縦柱を備え、両縦柱の下部に台座が設けられ、両縦柱の間に接続梁が設けられ、前記縦柱は中空の管状構造で、前記接続梁が5条あり、水平的に設置されており、上から下へと両縦柱の間に均一的に分布されており、最上と最下に位置する接続梁は縦柱に固定的に接続され、他の接続梁は縦柱に取外し可能に接続される多機能の事務パーテイションであって、隣り合う接続梁の間に仕切り板が設けられ、前記仕切り板が揃えて4枚あり、左右両端が縦柱に係合され、上下両端が接続梁に係合されており、上側に位置する2枚の仕切り板において、一の仕切り板に水平の物置板が設けられ、他の仕切り板に物置筐が設けられており、上側に位置する2枚の仕切り板に電源ソケットが設けられ、縦柱内に複数条の電源線が設けられ、電源ソケットは電源線に一対一対応に接続される。
【０００５】
より好ましくは、上側に位置する2枚の仕切り板は半透明材料からなり、下側に位置する2枚の仕切り板は不透明材料からなる。
【０００６】
より好ましくは、前記台座の下面にすべり防止層が設けられている。
【考案の効果】
【０００７】
従来の技術に対して、本願考案は、構成全体として取外し可能であるといった利点が得られる。具体的に、接続梁が5条あり、最上と最下に位置する接続梁が縦柱に固定的に接続され、当該2条の接続梁と2条の縦柱によってフレーム全体が構成される。他の接続梁が縦柱に取り外し可能に接続され、必要に応じて取外しを行えばよい。
【０００８】
隣り合う接続梁の間に仕切り板が設けられている。当該仕切り板の四つの辺がそれぞれ縦柱及び接続梁に係合されており、便利に取外しが可能である。一の仕切り板に水平の物置板が設けられ、他の仕切り板に物置筐が設けられる。事務品や残り物の収納などではとても便利になる。縦柱は、中空で、その内に電線を配置することができる。そして、上側に位置する2枚の仕切り板に電源ソケットが設けられ、縦柱内に多数条の電源線が設けられ、電源ソケットは電源線に一対一対応に接続される。このようになると、電線を電源ソケットに接続させれば給電が可能になる。これによって、机上の携帯電話やスタンドなどに給電することが可能で非常に便利である。
【図面の簡単な説明】
【０００９】
【図１】図１は本考案の構造を示す図である。
【考案を実施するための形態】
【００１０】
下記に図面を用いて、本考案の実施形態に対して更に説明する。
【００１１】
＜実施例1＞
図1が示すように、多機能の事務パーテイションは、両条の縦柱1を備え、両縦柱1の下部に台座6が設けられ、両縦柱1の間に接続梁2が設けられ、前記縦柱1は中空の管状構造で、前記接続梁2が5条あり、水平的に設置されており、上から下へと両縦柱1の間に均一的に分布されており、最上と最下に位置する接続梁は縦柱1に固定的に接続され、他の接続梁は縦柱1に取外し可能に接続される多機能の事務パーテイションであって、隣り合う接続梁2の間に仕切り板が設けられ、前記仕切り板が揃えて4枚あり、左右両端が縦柱1に係合され、上下両端が接続梁2に係合されており、上側に位置する2枚の仕切り板において、一の仕切り板に水平の物置板3が設けられ、他の仕切り板に物置筐4が設けられている。上側に位置する2枚の仕切り板に電源ソケット5が設けられ、縦柱1内に複数条の電源線が設けられ、電源ソケット5は電源線に一対一対応に接続される。
【００１２】
望ましくは、上側に位置する2枚の仕切り板は半透明材料からなり、下側に位置する2枚の仕切り板は不透明材料からなる。
【００１３】
望ましくは、前記台座6の下面にすべり防止層が設けられている。
【００１４】
従来の技術に対して、本願考案は、構成全体として取外し可能であるといった利点が得られる。具体的に、接続梁2が5条あり、最上と最下に位置する接続梁2が縦柱1に固定的に接続され、当該2条の接続梁2と2条の縦柱1によってフレーム全体が構成される。他の接続梁22が縦柱1に取り外し可能に接続され、必要に応じて取外しを行えばよい。
【００１５】
本実施例において、上側に位置する2枚の仕切り板は半透明材料からなり、下側に位置する2枚の仕切り板は不透明材料からなる。前記台座6の下面にすべり防止層が設けられている。
【００１６】
隣り合う接続梁2の間に仕切り板が設けられている。当該仕切り板の四つの辺がそれぞれ縦柱1及び接続梁2に係合されており、便利に取外しが可能である。一の仕切り板に水平の物置板3が設けられ、他の仕切り板に物置筐4が設けられる。事務品や残り物の収納などではとても便利になる。縦柱1は、中空で、その内に電線を配置することができる。そして、上側に位置する2枚の仕切り板に電源ソケット5が設けられ、縦柱1内に多数条の電源線が設けられ、電源ソケット5は電源線に一対一対応に接続される。このようになると、電線を電源ソケット5に接続させれば給電が可能になる。これによって、机上の携帯電話やスタンドなどに給電することが可能で非常に便利である。
【００１７】
とりわけ、上側に位置する2枚の仕切り板は半透明材料からなり、下側に位置する2枚の仕切り板は不透明材料からなり、必要に応じて組み立てるが可能である。例えば上側に1個又は2個取り付けられ、一方、下側における見える部位に2個取り付けられ、見えない部位に空気流通とコストダウンのために取り付けられなくても良い。
【符号の説明】
【００１８】
1  縦柱
2  接続梁
3  物置板
4  物置筐
5  電源ソケット
6  台座
【図１】
0003216966.tif 000003